(57)【要約】【課題】マスコットを自由に取り替えることができるのみならず、マスコット取付具をクリップから外したとき、メモ用紙などのホルダー機能を備えた筆記具クリップ用のマスコット取付具を提供すること。【解決手段】筆記具のクリップ１に係合されて保持されるクリップホルダー部２と、前記クリップホルダー部２の上面側に結合して配置されたベース体３と、前記ベース体３の上面に形成したマスコットＭを着脱自在に保持するマスコット装着部４とを具備し、マスコット装着部４を、接着剤、又はシート状磁石、若しくは面ファスナのいずれかによって形成し筆記具クリップ用のマスコット取付具に形成した。【選択図】図４
0003219863.tif 000002
【実用新案登録請求の範囲】
【請求項１】
筆記具のクリップに係合して保持されるクリップホルダー部と、前記クリップホルダー部の上面側に結合して配置された上面が略平坦なベース体と、前記ベース体の上面に形成したマスコットを取替可能に保持するマスコット装着部とを具備することを特徴とする筆記具クリップ用のマスコット取付具。
【請求項２】
マスコット装着部は、接着剤、又はシート状磁石、若しくは面ファスナのいずれかによって形成した請求項１の筆記具クリップ用のマスコット取付具。
【請求項３】
クリップホルダー部は、クリップを左右から挟む対面した立壁、又は前記立壁の上端部を向かい合う内側に曲げた断面略Ｌ型の挟持壁、若しくは前記挟持壁の上端側同士を延長して結合した形態の略筒状部により形成した請求項１又は２の筆記具クリップ用のマスコット取付具。
【請求項４】
クリップホルダー部は、立壁の部位にメモ用紙等の薄いシート材を挟むスリットを形成した請求項１〜３のいずれかの筆記具クリップ用のマスコット取付具。
【請求項５】
マスコット装着部に装着されるマスコットは、合成樹脂、金属、皮革、布、紙、木材、陶磁器の少なくとも一つを含んだ材料で形成し、前記マスコット装着部に装着されるために対面する側が、前記マスコット装着部の材質、性状に対応する材質、性状で形成された請求項２〜４のいずれかの筆記具クリップ用のマスコット取付具。
【考案の詳細な説明】
【技術分野】
【０００１】
本考案は、シャープペンシル、ボールペン、万年筆、サインペン等のクリップを有する筆記具の前記クリップに着脱自在に装着できるクリップ装飾体（以下「マスコット」という）の取付具に関する。
【背景技術】
【０００２】
筆記具のクリップにマスコットを装着する技術は、特許文献１〜４等によって数多くの提案がなされ、市場に供給されているものもある。
【０００３】
しかし、従来のクリップに装着できるマスコット取付具は、クリップに対して着脱自在になっているだけのものが殆どであった。従来品の中には、クリップの上でマスコットの位置を変えることができるようにしたものもあるが、それ以外の機能を備えたマスコット取付具は見当たらない。
【先行技術文献】
【特許文献】
【０００４】
【特許文献１】特開２００８−０１２８９７号公報
【特許文献２】特開２０００−３３５１８３号公報
【特許文献３】特開平１０−２７８４８３号公報
【特許文献４】特開平１０−０６７１９７号公報
【考案の概要】
【考案が解決しようとする課題】
【０００５】
本考案は、従来のクリップ用のマスコット取付具の機能が少ない点に鑑み、マスコットを自由に取り替えることができるのみならず、マスコット取付具をクリップから外したとき、メモ用紙などのホルダー機能を備えたクリップ用のマスコット取付具を提供することを課題とする。
【課題を解決するための手段】
【０００６】
上記課題を解決することを目的としてなされた本考案によるクリップ用のマスコット取付具の構成は、筆記具のクリップに係合されて前記クリップを保持することができるクリップホルダー部と、前記クリップホルダー部の上面側にそのクリップホルダー部と結合して配置した上面が略平坦なベース体と、前記ベース体の上面に形成したマスコットを着脱自在に保持するマスコット装着部とを具備する前記クリップ用のマスコット取付具であって、前記クリップホルダー部がメモ用紙などの薄いシート材を挟むスリットを有すると共に、前記マスコット装着部が、接着剤、又はシート状磁石、若しくは面ファスナ部材の少なくともいずれかで形成されていることを特徴とする。
接着剤には、強粘着性接着剤、又は再剥離性接着剤を用いることが出来る。
【０００７】
本考案マスコット取付具は、合成樹脂製、又は板金製であることが製造面やコスト面から見て好ましいが、硬質紙製や陶製であってもよい。
【０００８】
前記クリップホルダー部は、クリップの断面を少なくとも左右から挟むことができる２つの立壁を対向させた形態のもの、又は、前記立壁の上端部を内側に曲げて断面略Ｌ型の挟持壁によるもの、或いは、内側に曲げた上端部同士を延長して結合しクリップホルダー部を断面略筒状の形態にしたものを適用できる。
【０００９】
前記マスコット装着部は、段落０００６に記載し例のほかに、前記ベース体の略平坦な上面に形成したマスコット装着用の微小な凸部又は凹部と、前記マスコットの下面に形成した装着用の微小な凹部又は凸部による結合、離脱自在の嵌合構造を備えるものであってもよい。前記凸部又は凹部は、前記ベース体の上面と前記マスコットの下面に、結合できる対応関係で複数個乃至面の略全域に設けることがある。
【００１０】
本考察マスコット取付具に装着するマスコットは、一例として適宜キャラクターを表示した略バッジ状などの形態を備えたものでよく、その材質としては、合成樹脂、アルミ、鉄、銅などの金属、皮革、紙、木材、陶磁器、ガラスなどマスコットに形成できる材料であれば材質は問わない。
【００１１】
また、前記マスコットの裏面は、ベース体のマスコット装着部が備える接着剤などのマスコットを保持する部材に対応する形態や性状を備えたものである。例えば、接着剤に対応する面は、接着剤との親和性を高める（接着性を高める）表面処理を施しており、またシート状磁石に対応する面は磁性を有する面に整えており、さらに面ファスナ部材であれば、マスコット取付部との間で雌雄のペアとなる面ファスナ部材を備えている。接着剤には、目的に応じて再剥離性のもの、又は強粘着性のものを用いることが出来る。
【考案の効果】
【００１２】
本考案は、筆記具のクリップに係合されてそのクリップを保持することができるクリップホルダー部と、前記クリップホルダー部の上面側にそのクリップホルダー部と結合して配置した上面が略平坦なベース体と、前記ベース体の上面に形成したマスコットを着脱自在に保持するマスコット装着部とを備えてクリップ用のマスコット取付具を形成したから、接着剤に再剥離性接着剤を用いるとマスコットを任意に取替えることができ、マスコット取替えの必要がない場合には強粘着性接着剤を用いる。
なおマスコット装着部をシート状磁石や面ファスナで形成した場合にもマスコットの取替えができる。また、前記クリップホルダー部がメモ用紙などの薄いシート材を挟むスリットを有するから、マスコット取付具をクリップから外したとき、メモ用紙等のホルダーとして利用することができる。
【図面の簡単な説明】
【００１３】
【図１】本考案マスコット取付具の一例をノック式ペンのクリップに装着した状態の側面図。
【図２】図１のＡ―Ａ線矢視の一部を断面にした平面図。
【図３】図１、図２のマスコット取付具の底面図。
【図４】図３のＢ−Ｂ矢視拡大断面図。
【考案を実施するための形態】
【００１４】
次に、本考案マスコット取付具ＡＴの実施の形態例について図１〜図４を参照して説明する。
【００１５】
図１、図２において、Ｓはボールペンやシャープペンなどの筆記具の軸で、この軸Ｓには、頭部にクリップ１を有するクリップベースＣｂとノック用のノブＮが備わっている。前記クリップ１は、先端側の下面に滑り止め用の凸部１ａを備えている。
【００１６】
本考案マスコット取付具ＡＴは、前記クリップ１をその長さ方向の少なくとも左右から挟持してクリップ１に係合して保持されるクリップホルダー部２と、このクリップホルダー部２の上面側に位置付けて当該クリップホルダー部２に結合して配置した上面が略平坦なベース体３と、前記ベース体３の上面に形成した略平坦なマスコット装着部４とを備えたものである。
【００１７】
前記クリップホルダー部２とベース体３は、合成樹脂製の一体成型品とするが、金属板や硬質厚紙で形成したものや陶器製のものであってもよい。
【００１８】
前記クリップホルダー部２は、筆記具の軸Ｓの長さ方向に沿って略平行に対面させて設けた２つの立壁２ａ、２ｂを備えている。図示した例では、前記立壁２ａ、２ｂの上端を内側に略９０度曲げて対向させた断面略Ｌ型の挟持壁２ｃ、２ｄを備えている（図４参照）。本考案のクリップホルダー部２は、断面略Ｌ型の挟持壁２ｃ、２ｄの対向する上端側を延長して一体化し断面略筒状の筒状部にすることもできる。
【００１９】
断面略Ｌ型の挟持壁２ｃ、２ｄは、それらの縁が案内溝２ｅを形成している。案内溝２ｅは入り口側が平面視略テーパ状に形成され、中間部に、案内溝２ｅに入る前記クリップ１の凸部１ａを保持するための突部２ｆ、２ｇを備えている。
【００２０】
本考案のクリップホルダー部２は、その立壁２ａ、２ｂに、軸Ｓと平行な向き（ベース体３と平行な向き）でスリット状の溝２ｈ，２ｉを備えている。図示した例では、２つの立壁２ａ、２ｂが、底側（図１〜図３の左側）で平面視略Ｕ状に結合一体化されているから、前記２つの溝２ｈ，２ｉはこの部位で繋がって一つの溝になっている。この溝２ｈ、２ｉは、本考案マスコット取付具ＡＴをクリップ１から取り外したとき、メモ用紙等のシート状材のマスコットＭを有するホルダーとして利用することができる。
【００２１】
ベース体３は、図２に示した例では、平面から見て軸Ｓの太さの幅よりも少し小さい上下幅（図２、図３の上下方向）を有する略長方形乃至略長円形の形状であり、下面側に前記クリップホルダー部２を一体的に備えると共に、略平坦な上面側に略平坦なマスコット装着部４を備えている。前記ベース体３の平面視の形状や大きさは上記で説明したものに限られるものではない。
【００２２】
マスコット装着部４は、接着剤、又はシート状磁石、或いは面ファスナの一方の部材のいずれかによってベース体３の略平坦な上面の略全域に略平坦な形態で形成している。前記マスコット装着部４は、上記例のほかに、マスコットＭが下面に備える装着用の微小な凸部又は凹部に対し、前記凸部又は凹部に着脱可能に嵌合するマスコット装着用の微小な凹部又は凸部を、ベース体３の上面に、複数組みまたは上面のほぼ全域に形成した形態とすることもできる。接着剤は、マスコットの取替え要否の目的に応じて強粘着性のものと再剥離性のものを使い分ける。
【００２３】
前記マスコット装着部４に装着されるマスコットＭは、例えば、合成樹脂板に適宜のキャラクターを表側から見えるように印刷し、この合成樹脂板をキャラクターの輪郭状に形成したものである。このマスコットＭの裏面は、前記マスコット装着部４の構成に対応してマスコット装着部４に保持される構成を備えている。
【００２４】
例えば、マスコット装着部４が接着剤の層で形成されているときは、マスコットＭの裏面は接着面となる表面処理（マット加工等）を施した接着面であり、マスコット装着部４がシート状磁石であれば、マスコットＭの裏面は前記磁石に吸着される磁性を有する面（例えばシート状磁石）にする。このように前記マスコットＭは、その裏面（装着面）の材質、性状を、前記マスコット装着部４の上面を形成する部材（部分）の材質、性状に対応したものとすることにより、マスコット装着部4に対して着脱自在、即ちマスコットＭの取替え自在を実現できる。
【００２５】
マスコットＭとしては、上記の合成樹脂で製したもののほか、アルミや板金等の金属、皮革、布、紙、木材、陶磁器、ガラスなど適宜の材料で形成されたもの、或は前記材料の少なくとも一つを含んで形成されたものを選択することができる。
【００２６】
本考察のクリップ用マスコット取付具は以上の通りであるから、使用時に様々なデザイン、形態等使用者の好みに応じたマスコットを取り替えてマスコット装着部に装着することができる。また、前記マスコット取付具をクリップから外したときは、クリップホルダー部に形成したスリットにメモ用紙等を挟んでマスコット付きメモホルダーとして利用することもできる。
【符号の説明】
【００２７】
ＡＴ  クリップ用マスコット取付具
１  クリップ
２  クリップホルダー部
３  ベース体
４  マスコット装着部
Ｍ  マスコット
【図１】
0003219863.tif 000003
【図２】
0003219863.tif 000004
【図３】
0003219863.tif 000005
【図４】
0003219863.tif 000006
【手続補正書】
【提出日】平成30年11月27日(2018.11.27)
【手続補正１】
【補正対象書類名】実用新案登録請求の範囲
【補正対象項目名】全文
【補正方法】変更
【補正の内容】
【実用新案登録請求の範囲】
【請求項１】
筆記具のクリップに係合して保持されるクリップホルダー部と、前記クリップホルダー部の上面側に結合して配置された上面が略平坦なベース体と、前記ベース体の上面に形成したマスコットを取替可能に保持するマスコット装着部とを具備することを特徴とする筆記具クリップ用のマスコット取付具。
【請求項２】
マスコット装着部は、接着剤、又はシート状磁石、若しくは面ファスナのいずれかによって形成した請求項１の筆記具クリップ用のマスコット取付具。
【請求項３】
クリップホルダー部は、クリップを左右から挟む対面した立壁、又は前記立壁の上端部を向かい合う内側に曲げた断面略Ｌ型の挟持壁、若しくは前記挟持壁の上端側同士を延長して結合した形態の略筒状部により形成した請求項１又は２の筆記具クリップ用のマスコット取付具。
【請求項４】
クリップホルダー部は、立壁の部位にメモ用紙等の薄いシート材を挟むスリットを形成した請求項３の筆記具クリップ用のマスコット取付具。
【請求項５】
マスコット装着部に装着されるマスコットは、合成樹脂、金属、皮革、布、紙、木材、陶磁器の少なくとも一つを含んだ材料で形成し、前記マスコット装着部に装着されるために対面する側が、前記マスコット装着部の材質、性状に対応する材質、性状で形成された請求項２〜４のいずれかの筆記具クリップ用のマスコット取付具。